(57)【要約】【課題】折り財布の嵩張りを生じかつ美観をも損なう釣りをなくして、使いやすく嵩張らない財布を提供する。【解決手段】長手方向に紙幣収納部を有し、当該長手方向の中央部で二つ折りにする折り財布であって、当該紙幣収納部は、長方形にカットした皮革の長手方向の両端を、内側へ所定の幅だけ折り返した後当該折り返した部分の底辺と当該皮革の底辺とを合せて縫製して生ずる左右の折り返し部分の内側と当該皮革の内側部分とから構成される空間であって、当該所定の幅は、当該左右の折り返し部分が当該皮革の中心部分で互いに離隔する幅であることを特徴とする。【選択図】図１
0003172386.tif 000002
【実用新案登録請求の範囲】
【請求項１】
長手方向に紙幣収納部を有し、前記長手方向の中央部で二つ折りにする折り財布であって、
前記紙幣収納部は、長方形にカットした皮革の長手方向の両端を、内側へ所定の幅だけ折り返した後当該折り返した部分の底辺と前記皮革の底辺とを合せて縫製して生ずる左右の折り返し部分の内側と前記皮革の内側部分とから構成される空間であって、
前記所定の幅は、前記左右の折り返し部分が前記皮革の中心部分で互いに離隔する幅であることを特徴とする折り財布。
【請求項２】
前記長方形にカットした皮革は、同形で同寸法にカットされて上部及び両端が縫製された２枚の皮革からなることを特徴とする請求項１記載の折り財布。
【請求項３】
前記左右の折り返し部分のうちの１つ以上に第１のカード収納部が設けられることを特徴とする請求項２記載の折り財布。
【請求項４】
二つ折りにした際に前記皮革の外側となる１つの面に小銭入れが設けられることを特徴とする請求項２または３記載の折り財布。
【請求項５】
二つ折りにした際に前記皮革の外側となるもう１つの面に第２のカード収納部が設けられることを特徴とする請求項２乃至４のいずれか１つに記載の折り財布。
【請求項６】
紙類の収納部を有する皮革製ケースであって、
前記紙類の収納部は、長方形にカットした皮革の長手方向の両端を、内側へ所定の幅だけ折り返した後当該折り返した部分の底辺と前記皮革の底辺とを合せて縫製して生ずる左右の折り返し部分の内側と前記皮革の内側部分とから構成される空間であって、前記所定の幅は、前記左右の折り返し部分が前記皮革の中心部分で互いに離隔する幅であることを特徴とする皮革製ケース。
【考案の詳細な説明】
【技術分野】
【０００１】
この考案は、紙幣やカード等を収納することができる折り財布に関するものである。
【背景技術】
【０００２】
お金を収納して携帯するための財布類には各種のデザインがあるが、クレジットカードの浸透により、紙幣や硬貨だけでなくカード類なども一緒に収納できて、ズボンのポケットやハンドバッグに入れることができる折り財布の需要は大きい。
係る折り財布は、紙幣、硬貨、カード類を収納するために、通常、紙幣収納部、小銭入れ、カード収納部を有しており、折り財布を展開した状態において、一番外側の長手方向に紙幣収納部、紙幣収納部の内側の長手方向の端部にカード収納部及び／または小銭入れが設けられる場合が多い。
【０００３】
係る折り財布では、紙幣収納部は、外側皮革部分及び内側皮革部分により長手方向上部が開口した袋状に構成されている。また紙幣収納部が複数に仕切られている場合もあり、その場合には、外側皮革部分と内側皮革部分との間に仕切り部分が含まれる。この上部が開口した袋状の紙幣収納部の構成では、外側皮革部分、内側皮革部分及び仕切り部分が重なる構造となる。そのため、革をこのように二重、三重に重ねて用いる場合には、外側の革を内側の革より少し大きくする「釣り」と呼ばれる手法が用いられる。ところがこの「釣り」は、外側の革を内側の革より大きくするために、内外の革を両端で合わせたときに二枚の革はぴったり合わさらずに小さい方の革である内側の革が浮く状態になる。このため、折り財布を展開しても、中央の二つ折りするところで紙幣収納部を構成する内側や仕切りをなす各皮革部分が内側へ浮いて（くの字状）なって完全な平面状態を構成しないという難点があった。よって、従来の折り財布の紙幣収納部に係る技術では、特に二つ折りにする中央部分において財布の厚みを増すだけでなくまたデザイン性をも損ねていた。
【０００４】
この折り財布の厚みは、財布をズボンのポケットに入れて携帯することが多い男性にとって、特に問題であった。ズボンのポケットに入れた際に、ポケットは大きく膨らんでズボンのシルエットを損ない、また財布の所在を示してしまうという安全上の観点からも望ましいことではなかったからである。
【０００５】
この改善策として、仕切板と差込み中間板の一端部を一方の個別収容体に固定されているだけで、他端を移動自在にした二つ折り財布がある。図７はこの二つ折り財布２０１を示す斜視図である。図７で、２０６は背板、２０７は仕切板、２０８は差込み中間板、個別収容体を構成する２０３のカード入れ及び２０４の小銭入れ、２０９は横向きポケット部である。
しかしながらこの二つ折り財布２０１でも、背板２０６、仕切板２０７、差込み中間板２０８が折り返し部分で重なっているため折り返しにともなう膨らみを完全に解消できない。
【先行技術文献】
【特許文献】
【０００６】
【特許文献１】登録実用新案第３１５２８５４号公報
【考案の概要】
【考案が解決しようとする課題】
【０００７】
そこで、この考案は、折り財布の収納機能を損なうことなしに嵩張らずかつデザイン性に秀でた折り財布を提供する。
【課題を解決するための手段】
【０００８】
本考案は、長手方向に紙幣収納部を有し、当該長手方向の中央部で二つ折りにする折り財布であって、当該紙幣収納部は、長方形にカットした皮革の長手方向の両端を、内側へ所定の幅だけ折り返した後当該折り返した部分の底辺と当該皮革の底辺とを合せて縫製して生ずる左右の折り返し部分の内側と当該皮革の内側部分とから構成される空間であって、当該所定の幅は、当該左右の折り返し部分が当該皮革の中心部分で互いに離隔する幅であることを最も主要な特徴とする。
【考案の効果】
【０００９】
本考案による折り財布は、「釣り」をなくしたことでデザイン性に優れており、また収納機能を損なうことなくかつ嵩張らないので男性のズボンのポケットや女性の小さなハンドバッグにも入れやすくて使いやすい。
本考案による折り財布は、折り財布の長手方向上部を開口した袋状の紙幣収納部を有する従来のものと異なり、一枚皮を利用して紙幣収納部の主たる構造をなしているため、従来の折り財布の製造方法に比べて、構成パーツを少なくすることができる。これによって製造工程の短縮が可能となり、手間のかかる処理を不要にするという利点がある。
また、本考案による折り財布は、係る従来の折り財布と異なる紙幣収納部の構造のために、他の収納部についても従来と異なる配置構造にすることが可能となる。
【図面の簡単な説明】
【００１０】
【図１】本願考案による折り財布１の展開状態を示した図である。
【図２】本願考案による折り財布１のベース部１００を示す図である。
【図３】本願考案による折り財布１のカード収納部３ｂを開いた状態を示す図である。
【図４】本願考案による折り財布１の小銭入れ４を示す図である。
【図５】本願考案による折り財布１の非接触型ＩＣカード収納部５を示す図である。
【図６】本願考案による折り財布１の底面部を示す斜視図である。
【図７】従来技術による二つ折り財布を示す斜視図である。
【考案を実施するための形態】
【００１１】
以下に本考案の実施例を図に基づいて説明する。
図１は、本考案による折り財布１の展開状態を示した図である。折り財布１は、紙幣収納部２、カード収納部３（３ａ、３ｂ）、小銭入れ４（図４参照）、非接触型ＩＣカード収納部５（図５参照）を有する。折り財布１は中央部Ａで折り曲げることで二つ折りにされて携帯される。
【実施例１】
【００１２】
本考案による折り財布１は、図２に示すように、同形・同サイズにカットされた２枚の長方形の革を外表に合わせた後に両端部を内側に所定の寸法だけ折り返されて構成されるベース部１００から形成される。係る所定の寸法は、ベース部１００の中央部Ａで左右の折り返しが互いに離間して位置することができる寸法であり、よって、ベース部１００の中央部Ａには左右折り返しの端部が生成する縦のすき間が設けられる。ベース部１００に用いられる革は、折り曲げるために中央部分をそれぞれ漉いて厚さを調節しておいてもよい。ベース部１００に用いられる革は、重ね合される前に折り財布のデザインに合わせてそれぞれ必要な処理が行われている。この必要な処理については後述される。重ね合された後に２枚の革は、ベース部１００をなすため、最終形状の寸法になるようカット（抜き直し）され、その後上部及び両端が縫製されている。
ベース部１００は、両端が折り返された状態で底辺が縫製される。折り返しで重ね合されている部分も重ね合わされたまま底辺が一緒に縫製される。これにより、紙幣収納部２が構成される。即ち、紙幣収納部２は、ベース部１００の内側革部分、両端の折り返しの内側革部分、各々の折り返しの縫製された底辺部で区切られた部分で構成される。当該折り返しは互いの端部が離間しているため、紙幣収納部２は袋状には構成されていない。係る構造において、左右の折り返し部分が紙幣を抑える働きをし、その縫い止められた底辺により紙幣が脱落することもない。一方で、図３に示すように、各折り返し部分は互いに離間していて袋を構成していない故に上辺が内側に大きく開くことができるので、収納した紙幣を見やすくなるとともにその出し入れ機能は大きく向上する。更には、紙幣収納部２の一枚皮による折り返しの内側革部分は、従来技術のように別個のパーツを縫着した場合に比べて、縫着部分から破れたり縫い目がほどけたりすることがなくなるので、極めて堅牢である。
更に、紙幣収納部２の中央部分に札挟みに用いられるピン（図示せず）を取り付けてもよい。ピンを取り付けることにより、当該紙幣収納部２に紙幣を収納することができるとともに、カード収納部３の外側に別の紙幣をピンで挟むこともできる。即ち、ピンを用いることで、従来の財布が仕切り板（例えば、図７の２０７）により行っていた札入れ部分の分別収納を、仕切り板を用いることなく可能にする。よって、本考案に係る折り財布の紙幣収納部２の構造のままで分別収納の機能が提供されるので、仕切り板の余分な厚みを加える必要はない。折り財布の嵩張りを生じることなくこの機能を提供できることは大きな利点となる。
【００１３】
図１を参照すると、カード収納部３（３ａ、３ｂ）は、ベース部１００の左右の折り返し部分を用いて設けられる（図２参照）。カード収納部３ａ、３ｂには、それぞれ複数のカード段３３が設けられる。カード収納部３は、ベース部１００が生成される前に、２枚の革のうちの外側用の革にカード段用の切り込み３３を入れた後、各カード段の内部にカード収納のための袋（図示せず）が取り付けられている。係るカード段用の切り込み３３はカード挿入口となる。カード段用の切り込み３３は、例えば斜めに設ければカードが取り出しやすくなるとともに、より美観を生じ得る。また、折り返し部分の上端について、斜めに中央部Ａに向かって下がるように数ミリメートル程度カットしておけば、カードが取り出し易くなるだけでなく折り返し部分の上端が財布外側にはみ出すのを防止することができる。
【００１４】
図４に示すように、財布１の外側となる面のうち折り曲げた状態における１つの面Ｂには、小銭入れ４が設けられる。小銭入れ４は、ベース部１００の２枚の革の間を利用して設けられる。小銭入れ４は、ベース部１００が生成される前に、外側用となる革にファスナ用開口が設けられて必要な縫製がされてファスナ４１やマチ用革４３の取り付けが行われている。マチが設けられることによって、小銭入れ４に十分な収容力が提供されるとともに、小銭の取り出し易さにも役立つ。従来の折り財布で通常展開状態の内側に設けられる小銭入れ４が、本考案では外側に設けられていることで、使いやすさを提供するとともに、小銭の出し入れの度にカード収納部３のカードを人目にさらさずにすむため安全性も増す。
【００１５】
図５に示すように、財布１の外側となる面のうち折り曲げた状態におけるもう１つの面Ｃには、別のカード収納部が設けられ、特に非接触型ＩＣカード収納部５とすることができる。非接触型ＩＣカード収納部５は、ベース部１００の２枚の革の間を利用して設けられる。非接触型ＩＣカード収納部５は、ベース部１００が作成される前に、外側用となる革に非接触型ＩＣカード挿入用の切り込み５１が入れられ、挿入口としての必要な縫製が行われている。ベース部１００の２枚の革の間を利用して設けられることで、当該収納部を奥深く設けることができ、よって非接触型ＩＣカード収納部５にはカード全体が入るので、カードを安全に保持することができる。非接触型ＩＣカード収納部５を折り財布の外側に設けたことは、非接触型ＩＣカードが収納されたままで使用される改札の通過に便利である。
【００１６】
このように構成された折り財布１は、図６に底面から見た図を示すように、展開状態において、ほぼ平らに開くことができ、従来の折り財布のように「くの字」に曲がることがない。よって、使用時には紙幣を取り出し易くなる。また、「くの字」を形成する皮革の重なり部分をなくしよって「釣り」をなくすことができたので、折り財布１の中央部分の嵩張りがなくなりかつ美観をも提供することができる。
【実施例２】
【００１７】
実施例１では、紙幣収納部２や小銭入れ４などを設けたことなどで完全な財布の形状をなしていたが、ベース部１００の形状を収納したい書類や物品などの形状に合せることで、財布以外の皮革製品を製造することができる。係る皮革製品として、名刺入れ、保険証ケース、パスポートケース、ロディア（登録商標）ケース、アップル社のiPhoneケースなどが考えられる。１枚革を折り返して折り返し同士を中央部Ａで離間させて底辺を縫製した構造は、いずれの商品に用いても、「釣り」がないため非常に薄くできるとともに、本皮革製品の折り返し部分にあたる位置での外側部材と内側部材との張り合わせや縫製が不要となることでこの位置での堅強さをも提供するので、重要な書類の携帯及び保管のいずれにも適しているといえる。
【産業上の利用可能性】
【００１８】
本考案による折り財布は、構造自体を見直すことで収納の容量を減らすことなく折り財布のパーツの形状及び構成位置に対する変更をなし得たものであり、本折り財布の構造によって、各パーツを切り出す工程、縫製する工程を少なくすることができる。これによって、製造に要する時間を短縮できるので、コスト削減につながる。
【符号の説明】
【００１９】
１    折り財布
２    紙幣収納部
３    カード収納部
４    小銭入れ
５    非接触型ＩＣカード収納部
１００  ベース部
Ａ    中央部
Ｂ    二つ折りにした状態における１つの財布外側面
Ｃ    二つ折りにした状態におけるもう１つの財布外側面
【図１】
0003172386.tif 000003
【図２】
0003172386.tif 000004
【図３】
0003172386.tif 000005
【図４】
0003172386.tif 000006
【図５】
0003172386.tif 000007
【図６】
0003172386.tif 000008
【図７】
0003172386.tif 000009